(57)【特許請求の範囲】
【請求項１】
少なくとも性別情報、年齢関連情報、並びに、体重値及び身長値から算出される体格情報に基づいて、予測血圧値を求めるための、関係情報を予め記憶する、記憶部と、
被測定者の性別情報、年齢関連情報、体重値、身長値、及び実測血圧値を取得する、取得部と、
前記被測定者の性別情報、年齢関連情報、体重値、及び身長値に基づき、前記関係情報を用いて、前記予測血圧値を求め、求めた前記予測血圧値と前記実測血圧値とに基づいて、前記被測定者の高血圧の発症リスクを判定する、演算制御部と、
を備えたことを特徴とする、血圧値処理装置。
【請求項２】
前記演算制御部は、前記実測血圧値が所定の高血圧基準値未満であり、かつ、前記実測血圧値から前記予測血圧値を差し引いた値が第１閾値以上である場合、前記被測定者は高血圧の発症リスクが高いと判定する、請求項１に記載の血圧値処理装置。
【請求項３】
前記関係情報は、前記予測血圧値を目的変数とし、少なくとも前記年齢関連情報及び前記体格情報を説明変数として、前記性別情報を加味した、予測式である、請求項１又は２に記載の血圧値処理装置。
【請求項４】
前記演算制御部は、前記予測血圧値及び前記実測血圧値の両方が所定の高血圧基準値以上であり、かつ、前記実測血圧値から予測血圧値を差し引いた値の絶対値が第２閾値未満である場合、試算用体重情報が入力されると、少なくとも前記試算用体重情報と前記被測定者の性別情報、年齢関連情報、及び身長値とに基づき、前記関係情報を用いて、予測血圧値を新たに算出し、前記新たに算出した予測血圧値を試算結果血圧値として出力する、請求項１〜３のいずれか一項に記載の血圧値処理装置。
【請求項５】
前記演算制御部は、前記予測血圧値及び前記実測血圧値の両方が所定の高血圧基準値以上であり、かつ、前記実測血圧値から予測血圧値を差し引いた値の絶対値が第２閾値未満である場合、試算用血圧情報が入力されると、少なくとも前記試算用血圧情報と前記被測定者の性別情報、年連関連情報、及び身長値とに基づき、体重値を算出し、前記算出した体重値を試算結果体重値として出力する、請求項１〜３のいずれか一項に記載の血圧値処理装置。
【請求項６】
前記被測定者の体重値を前記取得部へ出力する体重計、前記被測定者の身長値を前記取得部へ出力する身長計、及び前記被測定者の実測血圧値を前記取得部へ出力する血圧計のうち、少なくともいずれか１つをさらに備えた、請求項１〜５のいずれか一項に記載の血圧値処理装置。
【請求項７】
記憶部、取得部及び演算制御部を備える血圧値処理装置において、前記演算制御部が所定プログラムに従って行う、血圧値処理方法であって、
少なくとも性別情報、年齢関連情報、並びに、体重値及び身長値から算出される体格情報に基づいて、予測血圧値を求めるための、関係情報を、予め前記記憶部に記憶させる、記憶ステップと、
被測定者の性別情報、年齢関連情報、体重値、身長値、及び実測血圧値を、前記取得部により取得する、取得ステップと、
前記被測定者の性別情報、年齢関連情報、体重値、及び身長値に基づき、前記関係情報を用いて、前記予測血圧値を求め、求めた前記予測血圧値と前記実測血圧値とに基づいて、前記被測定者の高血圧の発症リスクを判定する、演算制御ステップと、
を含むことを特徴とする、血圧値処理方法。
【請求項８】
記憶部、取得部及び演算制御部を備える血圧値処理装置において、前記演算制御部に実行させるための血圧値処理プログラムであって、
少なくとも性別情報、年齢関連情報、並びに、体重値及び身長値から算出される体格情報に基づいて、予測血圧値を求めるための、関係情報を、予め前記記憶部に記憶させる、記憶ステップと、
被測定者の性別情報、年齢関連情報、体重値、身長値、及び実測血圧値を、前記取得部により取得する、取得ステップと、
前記被測定者の性別情報、年齢関連情報、体重値、及び身長値に基づき、前記関係情報を用いて、前記予測血圧値を求め、求めた前記予測血圧値と前記実測血圧値とに基づいて、前記被測定者の高血圧の発症リスクを判定する、演算制御ステップと、
を前記演算制御部に実行させるための、血圧値処理プログラム。
【発明の詳細な説明】
【技術分野】
【０００１】
本発明は、血圧値処理装置、血圧値処理方法及び血圧値処理プログラムに関するものである。
【背景技術】
【０００２】
従来より、被測定者から測定された実測血圧値と、予め定められた基準血圧値との比較結果を、色変更表示や点滅表示等により表示する技術が知られている（例えば、特許文献１）。予め定められた基準血圧値としては、例えば日本高血圧学会による高血圧基準や、米国の血圧合同委員会の基準等がある。
【先行技術文献】
【特許文献】
【０００３】
【特許文献１】特開２００７−５００１６号公報
【発明の概要】
【発明が解決しようとする課題】
【０００４】
しかしながら、上述したような基準血圧値は、被測定者の性別や年齢や体格を考慮しない、一律に用いられるものであるため、的確かつ充分に、被測定者の血圧に関する情報を提供することができない。
例えば、被測定者の実測血圧値が予め定められた高血圧の基準値未満である場合、上記の技術では、高血圧ではないとの判定結果を提供できるにすぎず、仮に被測定者の性別、年齢及び体格を考慮すれば高血圧の発症リスクが高いといえる場合であっても、被測定者にそのことを知らせることができない。このため、被測定者は、高血圧を未然に防ぐための対策を取ることができない。
【０００５】
したがって、かかる点に鑑みてなされた本発明の課題は、被測定者の性別、年齢及び体格を考慮して、被測定者の高血圧の発症リスクを判定できる、血圧値処理装置、血圧値処理方法及び血圧値処理プログラムを提供することにある。
【課題を解決するための手段】
【０００６】
本発明の血圧値処理装置は、
少なくとも性別情報、年齢関連情報、並びに、体重値及び身長値から算出される体格情報に基づいて、予測血圧値を求めるための、関係情報を予め記憶する、記憶部と、
被測定者の性別情報、年齢関連情報、体重値、身長値、及び実測血圧値を取得する、取得部と、
前記被測定者の性別情報、年齢関連情報、体重値、及び身長値に基づき、前記関係情報を用いて、前記予測血圧値を求め、求めた前記予測血圧値と前記実測血圧値とに基づいて、前記被測定者の高血圧の発症リスクを判定する、演算制御部と、
を備えたことを特徴とする。
本発明の血圧値処理装置によれば、被測定者の性別、年齢及び体格を考慮して、被測定者の高血圧の発症リスクを判定できる。
【０００７】
本発明の血圧値処理装置において、
前記演算制御部は、前記実測血圧値が所定の高血圧基準値未満であり、かつ、前記実測血圧値から前記予測血圧値を差し引いた値が第１閾値以上である場合、前記被測定者は高血圧の発症リスクが高いと判定すると、好適である。
これにより、より適切に、被測定者の高血圧の発症リスクを判定できる。
【０００８】
本発明の血圧値処理装置において、
前記関係情報は、前記予測血圧値を目的変数とし、少なくとも前記年齢関連情報及び前記体格情報を説明変数として、前記性別情報を加味した、予測式であると、好適である。
これにより、精度よく、予測血圧値を得ることができるので、より適切に、被測定者の高血圧の発症リスクを判定できる。
【０００９】
本発明の血圧値処理装置において、
前記演算制御部は、前記予測血圧値及び前記実測血圧値の両方が所定の高血圧基準値以上であり、かつ、前記実測血圧値から予測血圧値を差し引いた値の絶対値が第２閾値未満である場合、試算用体重情報が入力されると、少なくとも前記試算用体重情報と前記被測定者の性別情報、年齢関連情報、及び身長値とに基づき、前記関係情報を用いて、予測血圧値を新たに算出し、前記新たに算出した予測血圧値を試算結果血圧値として出力すると、好適である。
これにより、被測定者は、自身の体重をどの程度変化させれば血圧がどの程度変化するかを、シミュレーションできる。
【００１０】
本発明の血圧値処理装置において、
前記演算制御部は、前記予測血圧値及び前記実測血圧値の両方が所定の高血圧基準値以上であり、かつ、前記実測血圧値から予測血圧値を差し引いた値の絶対値が第２閾値未満である場合、試算用血圧情報が入力されると、少なくとも前記試算用血圧情報と前記被測定者の性別情報、年連関連情報、及び身長値とに基づき、体重値を算出し、前記算出した体重値を試算結果体重値として出力すると、好適である。
これにより、被測定者は、自身の血圧を所望の値へ変化させるために、自身の体重をどの程度変化させるべきかを、シミュレーションできる。
【００１１】
本発明の血圧値処理装置は、
前記被測定者の体重値を前記取得部へ出力する体重計、前記被測定者の身長値を前記取得部へ出力する身長計、及び前記被測定者の実測血圧値を前記取得部へ出力する血圧計のうち、少なくともいずれか１つをさらに備えてもよい。
【００１２】
本発明の血圧値処理方法は、
記憶部、取得部及び演算制御部を備える血圧値処理装置において、前記演算制御部が所定プログラムに従って行う、血圧値処理方法であって、
少なくとも性別情報、年齢関連情報、並びに、体重値及び身長値から算出される体格情報に基づいて、予測血圧値を求めるための、関係情報を、予め前記記憶部に記憶させる、記憶ステップと、
被測定者の性別情報、年齢関連情報、体重値、身長値、及び実測血圧値を、前記取得部により取得する、取得ステップと、
前記被測定者の性別情報、年齢関連情報、体重値、及び身長値に基づき、前記関係情報を用いて、前記予測血圧値を求め、求めた前記予測血圧値と前記実測血圧値とに基づいて、前記被測定者の高血圧の発症リスクを判定する、演算制御ステップと、
を含むことを特徴とする。
本発明の血圧値処理方法によれば、被測定者の性別、年齢及び体格を考慮して、被測定者の高血圧の発症リスクを判定できる。
【００１３】
本発明の血圧値処理プログラムは、
記憶部、取得部及び演算制御部を備える血圧値処理装置において、前記演算制御部に実行させるための血圧値処理プログラムであって、
少なくとも性別情報、年齢関連情報、並びに、体重値及び身長値から算出される体格情報に基づいて、予測血圧値を求めるための、関係情報を、予め前記記憶部に記憶させる、記憶ステップと、
被測定者の性別情報、年齢関連情報、体重値、身長値、及び実測血圧値を、前記取得部により取得する、取得ステップと、
前記被測定者の性別情報、年齢関連情報、体重値、及び身長値に基づき、前記関係情報を用いて、前記予測血圧値を求め、求めた前記予測血圧値と前記実測血圧値とに基づいて、前記被測定者の高血圧の発症リスクを判定する、演算制御ステップと、
を前記演算制御部に実行させるための、血圧値処理プログラムである。
本発明の血圧値処理プログラムによれば、被測定者の性別、年齢及び体格を考慮して、被測定者の高血圧の発症リスクを判定できる。
【発明の効果】
【００１４】
本発明によれば、被測定者の性別、年齢及び体格を考慮して、被測定者の高血圧の発症リスクを判定できる、血圧値処理装置、血圧値処理方法及び血圧値処理プログラムを提供することができる。
【図面の簡単な説明】
【００１５】
【図１】本発明の一実施形態に係る血圧値処理装置を示すとともに、該血圧値処理装置と併せて使用される生体情報測定装置とを示す、概要図である。
【図２】本発明の一実施形態に係る血圧値処理方法の一例を示すフローチャートである。
【図３】図１の表示部に表示される画面の一例を示す図である。
【図４】図１の表示部に表示される画面の他の例を示す図であり、図４（ａ）は画面の初期状態を示しており、図４（ｂ）は画面への試算用情報の入力及び試算結果の出力が完了した状態を示している。
【図５】血圧評価処理で用いられる血圧評価基準の一例を説明するための図であり、図５（ａ）は収縮期血圧の評価基準を示しており、図５（ｂ）は拡張期血圧の評価基準を示している。
【発明を実施するための形態】
【００１６】
以下、本発明の実施形態について、図面を参照して例示説明する。
【００１７】
〔血圧値処理装置〕
まず、図１を参照して、本発明の一実施形態に係る血圧値処理装置１の構成について説明する。図１は、本実施形態に係る血圧値処理装置１と、この血圧値処理装置１と併せて使用される生体情報測定装置６０とを、示している。図１に示す体組成計２０と、身長計３０と、体組成計２０及び身長計３０を備える身長計付き体組成計４０と、血圧計５０とのそれぞれが、生体情報測定装置６０である。本例の血圧値処理装置１は、電子機器１０として構成されている。電子機器１０としては、例えばコンピュータ又は通信端末（例えばスマートフォン、携帯電話、又はタブレット端末）等、任意の電子機器を用いてよい。血圧値処理装置１は、生体情報測定装置６０を用いて被測定者から測定された各測定データを用いて、血圧値に関連する所定の処理を行う。
【００１８】
本例では、生体情報測定装置６０から出力される測定データに基づく測定値は、電子機器１０の操作者（被測定者又は被測定者以外の者）により、電子機器１０に入力されることによって、電子機器１０の内部に格納される。なお、生体情報測定装置６０から出力される測定データは、アナログデータ及びデジタルデータのいずれでもよい。
【００１９】
身長計付き体組成計４０は、身長計３０によって被測定者の身長を測定し、体組成計２０によって被測定者の体重及び体組成指標（体脂肪率、内臓脂肪レベル、脂肪量、除脂肪量、筋肉量、体水分率、骨量等）を測定し、これら測定した身長、体重、及び体組成指標のデータを出力する。なお、体組成計２０と身長計３０とは別体に構成されてもよい。
血圧計５０は、被測定者の血圧を測定し、測定した血圧値を出力する。
身長計付き体組成計４０及び血圧計５０による測定データの出力方法は、それぞれ、例えば、ディスプレイ（図示せず）での表示、印刷機（図示せず）による紙への印刷、スピーカー（図示せず）からの音声の出力等、任意の出力方法を用いてよい。なお、これらのディスプレイ、印刷器、及びスピーカーは、身長計付き体組成計４０及び血圧計５０のそれぞれに一体的に備えられるものでもよいし、あるいは、身長計付き体組成計４０及び血圧計５０のそれぞれとは別体に設けられて、身長計付き体組成計４０及び血圧計５０のそれぞれと電気ケーブルを介して接続されたものでもよい。
【００２０】
本実施形態の血圧値処理装置１を構成する電子機器１０は、演算制御部１０１と、記憶部１０２と、表示部１０４と、取得部７０とを、備えている。
【００２１】
演算制御部１０１は、例えばＣＰＵ（Central Processing Unit）等で構成されており、記憶部１０２に予め記憶されたプログラム１０３を実行して、後述する血圧値処理方法を行うとともに、記憶部１０２、表示部１０４、及び取得部７０を含む、電子機器１０の全体を制御する。
【００２２】
記憶部１０２は、例えばＲＡＭ（Random Access Memory）及びＲＯＭ（Read Only Memory）を有している。記憶部１０２は、演算制御部１０１が実行するためのプログラム１０３と、関係情報１０６とを、予め記憶する。また、記憶部１０２は、取得部７０が取得する情報を随時記憶する。記憶部１０２に記憶されるプログラム１０３には、後述する血圧値処理プログラムが含まれる。血圧値処理プログラムは、例えば、ＣＤ−ＲＯＭを介して記憶部１０２に格納されてもよいし、又は、電気通信ネットワーク（インターネット又は携帯電話通信網等）を介して記憶部１０２にダウンロードされてもよい。関係情報１０６は、後述するように、少なくとも性別情報、年齢関連情報、並びに、体重値及び身長値から算出される体格情報に基づいて、予測血圧値を求めるための情報である。
【００２３】
取得部７０は、被測定者の生体情報（少なくとも被測定者の性別情報、年齢関連情報、体重値、身長値、及び実測血圧値）を取得する。本例において、取得部７０は、入力部１０５を含んで構成されており、電子機器１０の操作者が入力部１０５を介して入力する被測定者の生体情報を、取得し、記憶部１０２に格納する。被測定者の生体情報のうち、体重値、身長値、及び実測血圧値は、それぞれ、体組成計２０、身長計３０、及び血圧計５０から出力される体重値、身長値、及び血圧値である。
ただし、本例に限られず、取得部７０は、被測定者の生体情報を、他の方法で取得してもよい。
例えば、取得部７０は、ＵＳＢ（Universal Serial Bus）メモリ（図示せず）またはＳＤメモリーカード等の外部メモリが接続されるための、電子機器１０のコネクタ部を含んで構成されてもよい。この場合、各生体情報測定装置６０から出力される測定データは、いったん生体情報測定装置６０に接続された外部メモリへ記録され、その後、その外部メモリが電子機器１０のコネクタ部に接続されると、取得部７０は、外部メモリに記録された測定データに基づく測定値を取得する。
あるいは、取得部７０は、有線又は無線による通信が可能な、電子機器１０の通信部を含んで構成してもよい。この場合、例えば、生体情報測定装置６０から、通信により測定データが電子機器１０の通信部へ出力されると、取得部７０は、測定データに基づき得られる測定値を取得する。なお、その場合、電子機器１０と、電子機器１０との間で通信可能な生体情報測定装置６０とが、血圧値処理装置１を構成する。または、取得部７０は、図示しない遠隔にある他の電子機器から電気通信ネットワーク（インターネット又は携帯電話通信網等）を介して、被測定者の生体情報を受信するようにしてもよい。
または、電子機器１０と少なくとも１つの生体情報測定装置６０とを一体に構成して、この生体情報測定装置６０から出力される測定データが、配線を介して電子機器１０へ出力されるようにしてもよい。その場合、取得部７０は、生体情報測定装置６０からの配線が接続される、電子機器１０のコネクタ部を含んで構成する。生体情報測定装置６０から出力される測定データが、配線を介して、電子機器１０のコネクタ部へ出力されると、取得部７０は、測定データに基づき得られる測定値を取得する。なお、この場合、電子機器１０と、電子機器１０と一体に構成された生体情報測定装置６０とが、血圧値処理装置１を構成する。
また、電子機器１０と生体情報測定装置６０とは、それぞれ別個の演算制御部を有していてもよいし、共通の演算制御部を有していてもよい。
【００２４】
表示部１０４は、例えば液晶ディスプレイ（ＬＣＤ：Liquid Crystal Display）等で構成される。本例において、表示部１０４は、操作者に情報の入力を促す画面（例えば、後述する被測定者情報入力画面２００や目標設定画面２１０）を表示したり、演算制御部１０１による演算結果を出力する画面（例えば、後述する目標設定画面２１０）を表示したりする。
入力部１０５は、例えばキーボード、マウス、押しボタン等により構成される。本例において、電子機器１０の操作者は、入力部１０５を操作することにより、被測定者の生体情報等を入力する。
また、表示部１０４及び入力部１０５がタッチパネルで構成されていてもよい。
【００２５】
〔血圧値処理方法、血圧値処理プログラム〕
つぎに、本発明の一実施形態に係る血圧値処理方法及び血圧値処理プログラムについて説明する。本実施形態に係る血圧値処理方法は、図１を参照して説明した実施形態の血圧値処理装置１を用いて行うものであり、図１の演算制御部１０１が、プログラム１０３（血圧値処理プログラム）に従って行うものである。
本実施形態において、演算制御部１０１は、まず、少なくとも性別情報、年齢関連情報、並びに、体重値及び身長値から算出される体格情報に基づいて、予測血圧値を求めるための、関係情報１０６を、予め記憶部１０２に記憶させる（記憶ステップ）。その後、演算制御部１０１は、被測定者の性別情報、年齢関連情報、体重値、身長値、及び実測血圧値を、取得部７０により取得する（取得ステップ）。その後、演算制御部１０１は、取得部７０により取得される、被測定者の性別情報、年齢関連情報、体重値、身長値、及び実測血圧値に少なくとも基づいて、記憶部１０２に予め記憶された関係情報１０６を用いて、予測血圧値を求め、求めた予測血圧値と被測定者の実測血圧値とに基づいて、被測定者の高血圧の発症リスクを判定する（演算制御ステップ）。
関係情報１０６としては、本例では、少なくとも性別情報、年齢関連情報、並びに、体重値及び身長値から算出される体格情報に基づいて、予測血圧値を求めるための、予測式を用いる。
ただし、関係情報１０６として、少なくとも性別情報、年齢関連情報、体重値及び身長値から算出される体格情報、並びに、予測血圧値どうしの関係を表す、テーブルを用いてもよい。その場合、テーブルに格納される予測血圧値は、予め上記予測式を用いて求められたものを用いてもよい。
【００２６】
（予測式）
本例において、演算制御ステップで予測血圧値の算出に用いる予測式（関係情報１０６）は、以下の式（１）のように、予測血圧値を目的変数とし、少なくとも年齢関連情報と、体重及び身長から算出される体格情報とを、それぞれ説明変数として、性別情報を加味して重回帰分析により予め求められるものである。
予測血圧値＝ａ+ｂ×年齢関連情報+ｃ×体重及び身長から算出される体格情報  ・・・（１）
ここで、ａ、ｂ、ｃは定数である。
本例の予測式は、重回帰分析により統計的に求められる。これにより、精度よく、予測血圧値を得ることができるので、より適切に、被測定者の高血圧の発症リスクを判定できる。
ただし、予測式としては、重回帰分析以外の統計的分析手法によって求められるものを用いても、同様に実施可能である。
【００２７】
なお、本例において、予測式は、年齢関連情報及び体格情報に加えて、性別情報も加味したものである。
例えば、予測式は、以下の式（２）のように、説明変数として性別情報を有してもよい。
予測血圧値＝ａ+ｂ×年齢関連情報+ｃ×体重及び身長から算出される体格情報+ｄ×性別情報  ・・・（２）
ここで、ａ、ｂ、ｃ、ｄは定数である。
あるいは、予測式（２）を用いる代わりに、予測式（１）を性別毎に予め求めてもよい。その場合、演算制御ステップでは、取得ステップで取得する被測定者の性別情報に応じて、被測定者の性別に対応する予測式を用いる。
【００２８】
重回帰分析を行うにあたっては、多数の人から、血圧値のデータと各説明変数のデータとを関連付けたサンプルデータを予め収集しておき、収集したサンプルデータを用いる。サンプルの母集団は、なるべく、血圧、性別、年齢及び体格の分布を、偏りなく、幅広くすることが好ましい。
【００２９】
被測定者の性別情報、年齢関連情報、体重値、及び身長値に基づき、予測式を用いて算出される、予測血圧値は、性別、年齢及び体格が被測定者と同等である標準的な人の血圧値を示すものである。
【００３０】
ここで、性別情報とは、男性か女性かを特定する情報である。
【００３１】
年齢関連情報としては、年齢そのもの、又は、年齢との相関性がある生体情報を用いることができる。年齢との相関性がある生体情報としては、例えば、生体インピーダンスにおけるレジスタンス成分Ｒとリアクタンス成分Ｘとの比（Ｘ／Ｒ又はＲ／Ｘ）、２つの異なる周波数Ｆ、ｆ（Ｆ≠ｆ）の交流電流でそれぞれ測定したときの生体インピーダンスＺF、Ｚfの比（ＺF／Ｚf）等がある。
【００３２】
体重及び身長から算出される体格情報とは、その算出式に体重及び身長を含む情報であり、具体的には、下記のＢＭＩ、肥満度、ローレル指数、又はカウプ指数等がある。
ＢＭＩ＝体重[kg]／身長[cm]2
肥満度＝｛（体重[kg]−標準体重[kg]）／標準体重[kg]｝×１００
（ここで、標準体重[kg]＝２２×身長[cm]×身長[cm]）
ローレル指数＝１０7×体重[kg]／身長[cm]3
カウプ指数＝１０4×体重[kg]／身長[cm]2
【００３３】
予測式の説明変数には、年齢関連情報、体重及び身長から算出される体格情報、並びに、性別情報とは異なる、その他の生体情報を、付加的に、１つ又は複数用いても良い。その他の生体情報としては、例えば、体組成情報（全身若しくは特定部位の体脂肪率若しくは体脂肪量、全身若しくは特定部位の筋肉率若しくは筋肉量、又は、筋質指標等）等を用いることができる。
例えば、その他の生体情報として、体脂肪率を用いる場合、予測式は、例えば予測式（２）の変形例として、以下の式（３）のようになる。
予測血圧値＝ａ+ｂ×年齢関連情報+ｃ×体重及び身長から算出される体格情報+ｄ×性別情報+ｅ×体脂肪率  ・・・（３）
ここで、ａ、ｂ、ｃ、ｄ、ｅは定数である。
【００３４】
また、予測式は、収縮期血圧及び拡張期血圧のそれぞれについて予め求められてもよい。この場合、演算制御ステップにおいては、予測収縮期血圧値に対しては実測収縮期血圧値を使用し、予測拡張期血圧値に対しては実測拡張期血圧値を使用する。
例えば、予測式（３）の変形例として、収縮期血圧及び拡張期血圧のそれぞれについて予測式を予め求める場合、以下の式（４）、（５）のようになる。
予測収縮期血圧値＝ａH+ｂH×年齢関連情報+ｃH×体重及び身長から算出される体格情報+ｄH×性別情報+ｅH×体脂肪率  ・・・（４）
予測拡張期血圧値＝ａL+ｂL×年齢関連情報+ｃL×体重及び身長から算出される体格情報+ｄL×性別情報+ｅL×体脂肪率  ・・・（５）
ここで、ａH、ａL、ｂH、ｂL、ｃH、ｃL、ｄH、ｄL、ｅH、ｅLは定数である。
なお、同様にして、上記の予測式（１）又は予測式（２）の変形例として、収縮期血圧及び拡張期血圧のそれぞれについて予測式を予め求めておいてもよい。
ただし、収縮期血圧及び拡張期血圧のうちいずれか一方のみについて予測式を予め求めておき、演算制御ステップでは、実測血圧値として、収縮期血圧及び拡張期血圧のうち予測式で用いるほうの血圧の実測値を用いても良い。
【００３５】
（演算制御部が演算制御ステップで行う血圧評価処理）
演算制御部１０１は、演算制御ステップにおいて、上述した予測式（関係情報１０６）から求められる予測血圧値と実測血圧値とに基づいて、被測定者の高血圧の発症リスクを判定する、血圧評価処理を行う。
このように、演算制御ステップでは、被測定者の性別、年齢及び体格を考慮した予測血圧値を用いて、被測定者の高血圧の発症リスクを判定する。よって、従来のように被測定者の性別、年齢及び体格を考慮しない、予め一律に決定された基準血圧値を用いて、被測定者が高血圧であるか否か判定する場合とは異なり、未だ高血圧でない被測定者に対しても、高血圧の発症リスクの程度を知らせることができる。これにより、被測定者は、必要に応じて、高血圧になる前から高血圧予防の対策を取ることができる。
【００３６】
演算制御ステップで行うことのできる血圧評価処理では、予測血圧値と実測血圧値とに基づいて、被測定者の血圧を評価（判定）し、その評価結果を出力する。図５は、血圧評価処理に用いられる血圧評価基準の一例を説明するための図である。図５（ａ）は収縮期血圧の評価基準を示しており、ｘ軸は被測定者の実測収縮期血圧値であり、ｙ軸は上記予測式（４）を用いて得られる予測収縮期血圧値である。図５（ｂ）は拡張期血圧の評価基準を示しており、ｘ軸は被測定者の実測拡張期血圧値であり、ｙ軸は上記予測式（５）を用いて得られる予測拡張期血圧値である。図５では、７人の被測定者Ａ〜Ｇについて得られた、予測血圧値及び実測血圧値のデータが、プロットされている。図５（ａ）及び図５（ｂ）の各プロット点に付された同一のアルファベットは、同一の被測定者から得られたデータを示している。
【００３７】
血圧評価処理では、収縮期血圧及び拡張期血圧の両方について評価するのが好ましいが、いずれか一方のみについて評価してもよい。収縮期血圧の評価及び拡張期血圧の評価は、互いに同様の方法で行われるので、以下の血圧評価処理の説明では、特に断りがない限り、収縮期血圧及び拡張期血圧を区別せずに、包括的に説明する。
【００３８】
図５の例では、予測血圧値に対する実測血圧値のずれ量と、実測血圧値及び所定の高血圧基準値どうしの大小関係とに基づいて、被測定者の血圧評価を行う。ｙ＝ｘのグラフに対するプロット点のｘ軸方向のずれ量は、予測血圧値に対する実測血圧値のずれ量に相当する。
より具体的に、図５の例では、実測血圧値が所定の高血圧基準値以上である場合、被測定者が高血圧であると判定する。ここで、所定の高血圧基準値としては、例えば日本高血圧学会により定められた高血圧基準を用いることができる。図５（ａ）における収縮期血圧の高血圧基準値は１４０ｍｍＨｇであり、図５（ｂ）における拡張期血圧の高血圧基準値は９０ｍｍＨｇである。
一方、図５の例では、実測血圧値が所定の高血圧基準値未満であり、かつ、実測血圧値から予測血圧値を差し引いた値（ずれ量）が所定の第１閾値（図５の例では、５ｍｍＨｇ）未満である場合、被測定者の血圧が正常（すなわち、高血圧ではなく、高血圧の発症リスクも低い）であると判定する。
また、実測血圧値が所定の高血圧基準値未満であり、かつ、実測血圧値から予測血圧値を差し引いた値（ずれ量）が上記所定の第１閾値以上である場合、被測定者が高血圧傾向にある（すなわち、未だ高血圧ではないが、高血圧の発症リスクが高い）と判定する。
【００３９】
なお、収縮期血圧及び拡張期血圧の両方について評価を行う場合、まず、収縮期血圧及び拡張期血圧のそれぞれについて上記の血圧評価を行い、つぎに、収縮期血圧の評価結果及び拡張期血圧の評価結果に基づき、最終的な血圧評価結果を得る。
例えば、収縮期血圧及び拡張期血圧のうち少なくともいずれか一方が高血圧である場合、最終的に高血圧と判定する。また、収縮期血圧及び拡張期血圧のいずれもが高血圧ではなく、かつ、収縮期血圧及び拡張期血圧のうち少なくともいずれか一方が高血圧傾向である場合、最終的に高血圧傾向と判定する。一方、収縮期血圧及び拡張期血圧の両方が正常血圧である場合、最終的に正常血圧と判定する。この場合、図５の例では、被測定者Ｆ、Ｇが高血圧と判定され、被測定者Ｄが高血圧傾向と判定され、被測定者Ａ、Ｂ、Ｃ、Ｅが正常血圧と判定される。
【００４０】
なお、本例では、実測血圧値が所定の高血圧基準値未満であり、かつ、実測血圧値から予測血圧値を差し引いた値が所定閾値以上である場合、被測定者が高血圧傾向にある（すなわち、未だ高血圧ではないが、高血圧の発症リスクが高い）と判定するので、被測定者が実際に高血圧になる前に、高血圧の発症リスクが高いことを被測定者に知らせることができる。これにより、被測定者は、早期から高血圧防止のための対策を取ることが可能となる。
【００４１】
図５の例に限られず、高血圧や高血圧傾向の評価基準を、それぞれ複数段階に分けて、さらに詳細な血圧評価をするようにしてもよい。例えば、高血圧の評価基準を３段階に分けてもよい。その場合、例えば、収縮期血圧についての高血圧の評価基準を、Ｉ度高血圧基準値（１４０ｍｍＨｇ）、ＩＩ度高血圧基準値（１６０ｍｍＨｇ）、ＩＩＩ度高血圧基準値（１８０ｍｍＨｚ）の３段階に分け、拡張期血圧についての高血圧の評価基準を、Ｉ度高血圧基準値（９０ｍｍＨｇ）、ＩＩ度高血圧基準値（１００ｍｍＨｇ）、ＩＩＩ度高血圧基準値（１１０ｍｍＨｇ）の３段階に分ける。
また、高血圧傾向の判定の際に、実測血圧値から予測血圧値を差し引いた値と比較される上記の第１閾値は、一律のものを用いる必要はなく、収縮期血圧と拡張期血圧とで異なるものを用いてもよい。例えば、収縮期血圧で用いられる第１閾値は５ｍｍＨｇとして、拡張期血圧で用いられる第１閾値は３ｍｍＨｇとしてもよい。
また、第１閾値は、実測血圧値に応じて異なるものを用いてもよい。例えば、収縮期血圧について、実測血圧値が１３０ｍｍＨｇ未満の場合、第１閾値として５ｍｍＨｇを用い、実測血圧値が１３０ｍｍＨｇ以上の場合、第１閾値として３ｍｍＨｇを用いてもよい。
【００４２】
なお、上記の血圧評価結果を出力する際には、併せて、血圧値及び体格が被測定者と同等である標準的な人の年齢（すなわち、被測定者の血圧が、何歳相当の血圧であるか）を評価して、その評価結果も出力するようにしてもよい。血圧値及び体格が被測定者と同等である標準的な人の年齢を評価する方法としては、例えば、被測定者の実測血圧値を予測式（１）の予測血圧値に代入して、予測式（１）の試算を行い、年齢を算出する。試算を行う際、予測式（１）における、予測血圧値及び年齢以外の各変数（体重及び身長から算出される体格情報等）には、取得ステップで取得したのと同じ値を用いる。
【００４３】
（演算制御部が演算制御ステップで行う、予測式を用いた試算処理）
予測血圧値及び実測血圧値の両方が前記した所定の高血圧基準値以上であり、かつ、実測血圧値から予測血圧値を差し引いた値の絶対値が所定の第２閾値未満である場合（図５の例では、被測定者Ｇが該当。）、被測定者が高血圧となった原因の１つとして、体型に問題のある可能性がある。
そこで、演算制御部１０１は、演算制御ステップにおいて、上記のような高血圧の被測定者を対象として、予測式（関係情報１０６）を用いた試算処理を行うことができる。予測式を用いた試算処理では、予測血圧値と実測血圧値との両方が所定の高血圧基準値以上であり、かつ、実測血圧値から予測血圧値を差し引いた値の絶対値が所定の第２閾値（例えば５ｍｍＨｇ）未満である場合に、被測定者が体型面から高血圧改善の目標を立てられるように、操作者に予測式の試算に用いるための試算用情報を入力してもらい、入力された試算用情報に基づいて予測式の試算を行い、その試算結果を出力する。
このように、被測定者は、予測式を用いたシミュレーションを行うことで、高血圧を体型面から改善するための目標を具体的に立てることができる。
【００４４】
例えば、試算処理の第１の例においては、まず、操作者に、被測定者の実際の体重値とは異なる、試算用体重値を特定する情報（試算用体重情報）を、上記試算用情報として入力してもらう。この試算用体重情報としては、例えば、被測定者の実際の体重値から試算用体重値までの変化量（どれだけ体重を変化させたいかを表す値）を用いても良いし、又は、試算用体重値そのものを用いてもよい。試算用体重情報が入力されると、演算制御部１０１は、その試算用体重情報から特定される試算用体重値を予測式の体重値に代入して、予測式の試算を行う。試算を行う際、予測式における、体重値及び予測血圧値以外の各変数（年齢関連情報や身長値等）には、取得ステップで取得したのと同じ値を用いる。このようにして、予測血圧値を新たに算出し、その新たに算出した予測血圧値を試算結果血圧値として出力する。
本例によれば、被測定者は、自身の体重をどの程度変化させれば予測血圧値がどの程度に変化するかを、シミュレーションできるので、高血圧を体型面から改善するための目標を具体的に立てることができる。
なお、例えば予測式（３）のように、重回帰分析により求められる予測式が、説明変数として体組成情報（体脂肪率等）を有する場合、試算用情報として、試算用体重情報に加えて、試算用体組成値を特定する情報（試算用体組成情報）を入力してもらい、新たに算出した予測血圧値を試算結果血圧値として出力するようにしてもよい。
【００４５】
また、試算処理の第２の例においては、まず、操作者に、被測定者の実際の血圧値とは異なる、試算用血圧値を特定する情報（試算用血圧情報）を、上記試算用情報として入力してもらう。この試算用血圧情報としては、例えば、被測定者の実際の血圧値から試算用血圧値までの変化量（どれだけ血圧を変化させたいかを表す値）を用いても良いし、又は、試算用血圧値そのものを用いてもよい。試算用血圧情報が入力されると、演算制御部１０１は、その試算用血圧情報から特定される試算用血圧値を予測式の予測血圧値に代入して、予測式の試算を行う。試算を行う際、予測式における、予測血圧値及び体重値以外の各変数（年齢関連情報や身長値等）には、取得ステップで取得したのと同じ値を用いる。このようにして、体重値を新たに算出し、その新たに算出した体重値を試算結果体重値として出力する。
本例によれば、被測定者は、自身の血圧を所望の値へ変化させるためには、自身の体重をどの程度変化させるべきかを、シミュレーションできるので、高血圧を体型面から改善するための目標を具体的に立てることができる。
なお、例えば予測式（３）のように、重回帰分析により求められる予測式が、説明変数として体組成情報（体脂肪率等）を有する場合、試算用情報として、試算用血圧情報を入力してもらい、新たに算出した体重値及び体組成値を、それぞれ試算結果体重値及び試算結果体組成値として出力するようにしてもよい。
【００４６】
なお、上述した試算処理の第１及び第２の例では、予測式の試算時に、年齢関連情報として、取得ステップで取得したのと同じ値を用いているが、これに限られない。例えば、被測定者の想定する目標達成時点が数年後である場合には、操作者に、目標達成時点での被測定者の年齢を特定する情報（年齢特定情報）をも入力してもらい、入力された年齢特定情報から特定される年齢を予測式の年齢関連情報に代入して、予測式の試算を行うようにしてもよい。
【００４７】
（血圧値処理方法の一実施例）
つぎに、図２〜図４を参照して、図１の演算制御部１０１がプログラム１０３（血圧値処理プログラム）に従って行う血圧値処理方法の一例を説明する。図２は、演算制御部１０１が行う処理を示すフローチャートである。
予め、演算制御部１０１は、記憶ステップにて、関係情報１０６を、記憶部１０２に記憶させている。本例における関係情報１０６としては、収縮期血圧値及び拡張期血圧値のそれぞれについて予め求められた予測式（４）、（５）を用いるものとする。記憶ステップの後、演算制御部１０１は、上述した取得ステップ（Ｓ１）及び演算制御ステップ（Ｓ２〜Ｓ１２）を行う。演算制御ステップでは、上述した血圧評価処理（Ｓ２〜Ｓ８、Ｓ１０）と予測式を用いた試算処理（Ｓ１１〜Ｓ１２）とを行う。
【００４８】
また、本例の血圧評価処理の血圧評価基準としては、図５（ａ）に示す収縮期血圧の評価基準と図５（ｂ）に示す拡張期血圧の評価基準とを用いるものとする。
【００４９】
まず、演算制御部１０１は、例えば表示部１０４に図３の被測定者情報入力画面２００を表示させる等して、操作者（被測定者又は被測定者以外の者）に、被測定者の収縮期血圧及び拡張期血圧の実測値と、予測式（４）、（５）における各変数に対応する被測定者の生体情報（性別、年齢、身長、体重、及び体脂肪率）との入力を促し、これらの各生体情報が入力されるまで待機する（ステップＳ１、Ｎｏ）。操作者は、入力部１０５を操作しながら、被測定者の該当する性別の選択を入力し、事前に血圧計５０を用いて測定した被測定者の収縮期血圧値及び拡張期血圧値を、それぞれ被測定者情報入力画面２００の入力欄２００ａ、２００ｂに入力し、被測定者の年齢を該入力画面２００の入力欄２００ｃに入力し、事前に身長計付き体組成計４０を用いて測定した被測定者の身長、体重及び体脂肪率を、それぞれ該入力画面２００の入力欄２００ｄ、２００ｅ、２００ｆに入力する。
【００５０】
被測定者の各生体情報が入力されると（ステップＳ１、Ｙｅｓ）、演算制御部１０１は、Ｓ１で入力された被測定者の性別、年齢、身長、体重、及び体脂肪率を予測式（４）、（５）に代入して、収縮期血圧及び拡張期血圧のそれぞれについて、予測血圧値を算出する（ステップＳ２）。
【００５１】
つぎに、演算制御部１０１は、収縮期血圧及び拡張期血圧のそれぞれについて、被測定者の実測血圧値と所定の高血圧基準値とを比較する（ステップＳ３）。実測収縮期血圧値が収縮期血圧の高血圧基準値（本例では、１４０ｍｍＨｇ）未満であり、かつ、実測拡張期血圧値が拡張期血圧の高血圧基準値（本例では、９０ｍｍＨｇ）未満である場合（ステップＳ３、Ｎｏ）、演算制御部１０１は、被測定者が高血圧ではないと判定し、つぎに、実測血圧値から予測血圧値を差し引いた値と所定の第１閾値とを比較する（ステップＳ４）。本例では、収縮期血圧及び拡張期血圧の両方について、第１閾値が５ｍｍＨｇに設定されている。
【００５２】
ステップＳ４において、演算制御部１０１は、収縮期血圧及び拡張期血圧の両方について、実測血圧値から予測血圧値を差し引いた値が第１閾値（５ｍｍＨｇ）未満の場合（ステップＳ４、Ｎｏ）、被測定者が正常血圧であると判定し（ステップＳ５）、正常血圧である旨の評価結果や、正常血圧を維持するためのアドバイス等を、表示部１０４に表示する等して出力し（ステップＳ６）、処理を終了する。
【００５３】
一方、ステップＳ４において、収縮期血圧及び拡張期血圧のうち少なくともいずれか一方について、実測血圧値から予測血圧値を差し引いた値が第１閾値（５ｍｍＨｇ）以上である場合（ステップＳ４、Ｙｅｓ）、被測定者が高血圧傾向にある（すなわち、未だ高血圧ではないが、高血圧の発症リスクが高い）と判定し（ステップＳ７）、高血圧傾向にある旨の評価結果や、高血圧予防対策のためのアドバイス等を出力し（ステップＳ６）、処理を終了する。このようにして、被測定者に、実際に高血圧になる前に高血圧予防の対策を取るための機会を与えることができる。
【００５４】
一方、ステップＳ３において、演算制御部１０１は、収縮期血圧及び拡張期血圧のうち少なくともいずれか一方について、実測血圧値が高血圧基準値以上である場合（ステップＳ３、Ｙｅｓ）、被測定者が高血圧であると判定する（ステップＳ８）。
【００５５】
ステップＳ８の後、演算制御部１０１は、収縮期血圧及び拡張期血圧のいずれについても、予測式（４）、（５）を用いて算出される予測血圧値が高血圧基準値未満である場合と、実測血圧値から予測血圧値を差し引いた値の絶対値が第２閾値以上である場合との、少なくともいずれか一方の場合（ステップＳ９、Ｎｏ）、高血圧である旨の評価結果や、高血圧を改善するためのアドバイス等を出力し（ステップＳ６）、処理を終了する。ここで、実測血圧値が高血圧基準値以上であって、予測血圧値が高血圧基準値未満である場合、高血圧となった原因として、体型以外の要因（生活習慣等）が考えられる。そこで、ステップＳ６で出力するアドバイスとしては、例えば、被測定者の体型に問題が無い場合、食事、運動習慣、飲酒、喫煙、睡眠等の生活習慣の見直しを勧めるものであると、好適である。
【００５６】
一方、ステップＳ９において、演算制御部１０１は、収縮期血圧及び拡張期血圧のうち少なくともいずれか一方について、予測式（４）、（５）を用いて算出される予測血圧値が高血圧基準値以上であり、かつ、実測血圧値から予測血圧値を差し引いた値の絶対値が所定の第２閾値（例えば５ｍｍＨｇ）未満である場合（ステップＳ９、Ｙｅｓ）、高血圧である旨の評価結果や、高血圧を改善するためのアドバイス等を出力する（ステップＳ１０）。ここで、実測血圧値及び予測血圧値の両方が高血圧基準値以上であり、かつ、実測血圧値から予測血圧値を差し引いた値の絶対値が所定の第２閾値（例えば５ｍｍＨｇ）未満である場合、高血圧となった原因の１つとして、体型が考えられる。そこで、ステップＳ１０で出力するアドバイスとしては、例えば、被測定者の体重が適正であるが体脂肪率が適正よりも高い場合、運動により筋肉をつけることを勧めたり、被測定者の体重及び体脂肪率の両方が適正よりも高い場合、有酸素運動や食事の見直しを勧めるものであると、好適である。さらに、ステップＳ１０では、体型面から高血圧改善を達成するための目標設定を、その後に続けて行うよう、被測定者に勧めると良い。
【００５７】
ステップＳ１０の後、演算制御部１０１は、例えば表示部１０４に図４（ａ）の目標設定画面２１０を表示させる等して、操作者に、被測定者の実際の体重値とは異なる、試算用体重値を特定する情報（試算用体重情報）と、被測定者の実際の体脂肪率値とは異なる、試算用体脂肪率値を特定する情報（試算用体脂肪率情報）との入力を促し、これら試算用体重情報及び試算用体脂肪率情報（これらを包括的に試算用体型情報ともいう。）が入力されるまで待機する（ステップＳ１１、Ｎｏ）。図４（ａ）の目標設定画面２１０には、ステップＳ１で入力された被測定者の各生体情報が表示されている。操作者は、入力部１０５を操作しながら、試算用体重情報と試算用体脂肪率情報とを、それぞれ目標設定画面２１０の入力欄２１０ａ、２１０ｂに入力する。本例において、試算用体重情報としては、被測定者の実際の体重値から試算用体重値までの変化量が入力され、試算用体脂肪率情報としては、被測定者の実際の体脂肪率値から試算用体脂肪率値までの変化量が入力される。
【００５８】
図４（ｂ）に示すように、試算用体重情報と試算用体脂肪率情報とが入力されると（ステップＳ１１、Ｙｅｓ）、演算制御部１０１は、ステップＳ１で入力された被測定者の実際の体重値及び体脂肪率値から、ステップＳ１１で入力された試算用体重情報と試算用体脂肪率情報とをそれぞれ差し引くことにより、試算用体重値及び試算用体脂肪率値を求める。そして、求めた試算用体重値及び試算用体脂肪率値を、それぞれ予測式（４）、（５）の体重値及び体脂肪率値に代入して、予測式（４）、（５）をそれぞれ試算して、収縮期血圧及び拡張期血圧の予測血圧値を算出し、これらを試算結果血圧値として、目標設定画面２１０の出力欄２１０ｃに出力し（ステップＳ１２）、処理を終了する。これにより、被測定者は、自身の体型をどの程度改善させれば自身の血圧がどの程度改善されるかをシミュレーションできるので、高血圧を体型面から改善するための目標を具体的に立てることができる。なお、ステップＳ１２において、試算を行う際、予測式（４）、（５）における、体重値、体脂肪率値、及び予測血圧値以外の各変数（性別、年齢、及び身長）には、ステップＳ１で取得したのと同じ値を用いる。
【００５９】
このように、Ｓ２〜Ｓ１２の演算制御ステップでは、被測定者の性別、年齢及び体格の情報を用いて得られた予測血圧値に基づいて処理を行い、その処理により得られる情報を出力する。よって、従来のように被測定者の性別、年齢及び体格を考慮しない、予め一律に決定された基準血圧値を用いた処理により得られる情報を出力する場合に比べて、被測定者の性別や年齢や体格を考慮した、より的確かつ詳細な血圧関連情報を提供できる。
【００６０】
なお、ステップＳ１１では、試算用体型情報として、試算用体重情報又は試算用体脂肪率情報のいずれか一方のみが入力されるようにしてもよい。その場合、ステップＳ１２における予測式（４）、（５）の試算を行う際には、ステップＳ１１において入力されなかったほうの体型情報（体重値又は体脂肪率値）として、ステップＳ１で取得したのと同じ値を用いる。
【００６１】
また、ステップＳ１１では、操作者に、試算用血圧情報を入力してもらい、ステップＳ１２において、入力された試算用血圧情報を用いて予測式（４）、（５）の試算を行い、体重値及び体脂肪率値をそれぞれ試算結果体重値及び試算結果体脂肪率値として出力するようにしてもよい。
【００６２】
また、取得ステップ（Ｓ２）で用いる予測式は、上記式（４）、（５）以外のものでもよい。例えば、予測式の説明変数として体脂肪率を用いなくてもよく、また、体脂肪率以外の生体情報（筋肉率等）を用いてもよい。
【００６３】
なお、演算制御部１０１は、ステップＳ１０の後に、ステップＳ１１〜Ｓ１２を行わずに、処理を終了してもよい。
【符号の説明】
【００６４】
１：血圧値処理装置
１０：電子機器
２０：体組成計
３０：身長計
４０：身長計付き体組成計
５０：血圧計
６０：生体情報測定装置
７０：取得部
１０１：演算制御部（演算制御装置）
１０２：記憶部
１０３：プログラム（血圧値処理プログラム）
１０４：表示部
１０５：入力部
１０６：関係情報
２００：被測定者情報入力画面
２００ａ〜２００ｆ、２１０ａ〜２１０ｂ：入力欄
２１０：目標設定画面
２１０ｃ：出力欄
【図１】
0006343849.tif 000002
【図２】
0006343849.tif 000003
【図３】
0006343849.tif 000004
【図４】
0006343849.tif 000005
【図５】
0006343849.tif 000006